【手続補正書】
【提出日】平成28年8月29日(2016.8.29)
【手続補正１】
【補正対象書類名】明細書
【補正対象項目名】００３７
【補正方法】変更
【補正の内容】
【００３７】
開示されるトグルスイッチのロックアウトクリップ及び方法の様々な実施形態が示されかつ説明されてきたが、当業者が本明細書を読むことによって変形がなされ得る。本出願は、そのような変形を含み、かつ特許請求の範囲によってのみ限定される。
また、本発明は以下に記載する態様を含む。
（態様１）
中央領域（１１６）を有するクリップ本体（１０２）であって：
前記中央領域（１１６）から突出するラッチ部（１０４）において、前記ラッチ部（１０４）は延伸部材（１１８）、及び前記延伸部材（１１８）に接続されフックギャップ（１２６）を画定するフック部材（１２０）を備える、ラッチ部（１０４）；
前記ラッチ部（１０４）から離れるように前記中央領域（１１６）から突出するレッグ部（１０６）；
第２の側部（１１２）と対向する第１の側部（１１０）において、前記第１の側部（１１０）及び前記第２の側部（１１２）は前記中央領域（１１６）から延伸し、かつそれらの間のギャップ（１４４）を画定する、第１の側部（１１０）；並びに
前記第１の側部（１１０）及び前記第２の側部（１１２）の間に位置決めされる係合部（１０８）を備える、クリップ本体（１０２）を備える、トグルスイッチロックアウトクリップ（１００）。
（態様２）
前記クリップ本体（１０２）は、単一のモノリシックの本体として形成される、態様１に記載のトグルスイッチロックアウトクリップ（１００）。
（態様３）
前記クリップ本体（１０２）は、弾力性のある材料から形成される、態様１に記載のトグルスイッチロックアウトクリップ（１００）。
（態様４）
前記クリップ本体（１０２）は、貫通孔（１１４）を画定する、態様１に記載のトグルスイッチロックアウトクリップ（１００）。
（態様５）
前記貫通孔（１１４）は、前記中央領域（１１６）の近傍に位置決めされる、態様４に記載のトグルスイッチロックアウトクリップ（１００）。
（態様６）
前記貫通孔（１１４）を通って延伸するテザー（１５２）によって前記クリップ本体（１０２）に接続されるタグ（１５０）をさらに備える、態様４に記載のトグルスイッチロックアウトクリップ（１００）。
（態様７）
前記タグ（１５０）は、警告する印が付けられている、態様６に記載のトグルスイッチロックアウトクリップ（１００）。
（態様８）
前記フック部材（１２０）は、約４５度から約１３５度までの範囲内に含まれる角度において、前記延伸部材（１１８）に接続される、態様１に記載のトグルスイッチロックアウトクリップ（１００）。
（態様９）
前記ラッチ部（１０４）はさらに、前記フック部材（１２０）に接続されるガイドタブ（１２８）を備える、態様１に記載のトグルスイッチロックアウトクリップ（１００）。
（態様１０）
前記係合部は係合表面（１４０）を備え、かつノッチ（１４２）が前記係合表面（１４０）に形成される、態様１に記載のトグルスイッチロックアウトクリップ（１００）。
（態様１１）
トグルスイッチアセンブリ（２００）であって：
トグルスイッチ（２０２）；及び
スイッチカバー（２０４）において、前記スイッチカバー（２０４）はオープン位置にあり、かつ前記スイッチカバー（２０４）は前記オープン位置からクローズ位置へ移動可能であり、前記スイッチカバー（２０４）は前記クローズ位置で前記トグルスイッチ（２０２）の上に位置決めされる、スイッチカバー（２０４）を備える、トグルスイッチアセンブリ（２００）と、
中央領域（１１６）を有するクリップ本体（１０２）を備えるトグルスイッチロックアウトクリップ（１００）であって、前記クリップ本体（１０２）は：
前記中央領域（１１６）から突出するラッチ部（１０４）において、前記ラッチ部（１０４）はフックギャップ（１２６）を画定し、前記スイッチカバー（２０４）の少なくとも一部は前記フックギャップ（１２６）の中に受け入れられる、ラッチ部（１０４）；及び
前記ラッチ部（１０４）から離れるように前記中央領域（１１６）から突出するレッグ部（１０６）を備える、トグルスイッチロックアウトクリップ（１００）とを備える、トグルスイッチシステム。
（態様１２）
前記レッグ部（１０６）は突出して、前記トグルスイッチアセンブリ（２００）と係合する、態様１１に記載のトグルスイッチシステム。
（態様１３）
前記トグルスイッチアセンブリ（２００）はさらにストップ（２１０）を備え、かつ前記レッグ部（１０６）は前記トグルスイッチ（２０２）と前記ストップ（２１０）との間で位置決めされる、態様１１に記載のトグルスイッチシステム。
（態様１４）
前記トグルスイッチロックアウトクリップ（１００）はさらに、第２の側部（１１２）と対向する第１の側部（１１０）を備え、前記第１の側部（１１０）及び前記第２の側部（１１２）は、前記中央領域（１１６）から延伸し、かつそれらの間のギャップ（１４４）を画定し、前記スイッチカバー（２０４）の少なくとも一部は前記ギャップ（１４４）の中に受け入れられる、態様１１に記載のトグルスイッチシステム。
（態様１５）
前記トグルスイッチロックアウトクリップ（１００）はさらに、突出して前記トグルスイッチ（２０２）と係合する係合部（１０８）を備える、態様１１に記載のトグルスイッチシステム。
（態様１６）
前記係合部（１０８）は、前記スイッチカバー（２０４）の前記クローズ位置への移動を抑制する、態様１５に記載のトグルスイッチシステム。
（態様１７）
前記トグルスイッチロックアウトクリップ（１００）は、前記スイッチカバー（２０４）の前記クローズ位置への移動を抑制する、態様１１に記載のトグルスイッチシステム。
（態様１８）
前記トグルスイッチロックアウトクリップ（１００）に接続されるタグ（１５０）をさらに備える、態様１１に記載のトグルスイッチシステム。
（態様１９）
前記クリップ本体（１０２）は貫通孔（１１４）を画定し、かつ前記タグ（１５０）は、前記貫通孔（１１４）を通って延伸するテザー（１５２）によって前記トグルスイッチロックアウトクリップ（１００）に接続される、態様１８に記載のトグルスイッチシステム。
（態様２０）
トグルスイッチ（２０２）及びスイッチカバー（２０４）を含むトグルスイッチアセンブリ（２００）をロックアウトするための方法であって、前記トグルスイッチ（２０２）がオン位置とオフ位置との間で移動可能であり、前記スイッチカバー（２０４）がクローズ位置とオープン位置との間で移動可能であり、前記方法は：
前記スイッチカバー（２０４）を前記オープン位置に移動させ、かつ前記トグルスイッチ（２０２）を前記オフ位置に移動させるステップと；
前記トグルスイッチアセンブリ（２００）にクリップ（１００）を設置するステップであって、前記クリップ（１００）が、前記スイッチカバー（２０４）にラッチするラッチ部（１０４）、及び前記ラッチ部（１０４）から離れるように延伸するレッグ部（１０６）を備え、前記クリップ（１００）が、前記スイッチカバー（２０４）の前記クローズ位置への移動、及び前記トグルスイッチ（２０２）の前記オン位置への移動を抑制する、ステップとを含む、方法。
【手続補正２】
【補正対象書類名】特許請求の範囲
【補正対象項目名】全文
【補正方法】変更
【補正の内容】
【特許請求の範囲】
【請求項１】
トグルスイッチアセンブリ（２００）であって：
トグルスイッチ（２０２）；及び
スイッチカバー（２０４）において、前記スイッチカバー（２０４）はオープン位置にあり、かつ前記スイッチカバー（２０４）は前記オープン位置からクローズ位置へ移動可能であり、前記スイッチカバー（２０４）は前記クローズ位置で前記トグルスイッチ（２０２）の上に位置決めされる、スイッチカバー（２０４）を備える、トグルスイッチアセンブリ（２００）と、
中央領域（１１６）を有するクリップ本体（１０２）を備えるトグルスイッチロックアウトクリップ（１００）であって、前記クリップ本体（１０２）は：
前記中央領域（１１６）から突出するラッチ部（１０４）において、前記ラッチ部（１０４）はフックギャップ（１２６）を画定し、前記スイッチカバー（２０４）の少なくとも一部は前記フックギャップ（１２６）の中に受け入れられる、ラッチ部（１０４）；及び
前記ラッチ部（１０４）から離れるように前記中央領域（１１６）から突出するレッグ部（１０６）を備える、トグルスイッチロックアウトクリップ（１００）とを備える、トグルスイッチシステム。
【請求項２】
前記レッグ部（１０６）は突出して、前記トグルスイッチアセンブリ（２００）と係合する、請求項１に記載のトグルスイッチシステム。
【請求項３】
前記トグルスイッチアセンブリ（２００）はさらにストップ（２１０）を備え、かつ前記レッグ部（１０６）は前記トグルスイッチ（２０２）と前記ストップ（２１０）との間で位置決めされる、請求項１又は２に記載のトグルスイッチシステム。
【請求項４】
前記トグルスイッチロックアウトクリップ（１００）はさらに、第２の側部（１１２）と対向する第１の側部（１１０）を備え、前記第１の側部（１１０）及び前記第２の側部（１１２）は、前記中央領域（１１６）から延伸し、かつそれらの間のギャップ（１４４）を画定し、前記スイッチカバー（２０４）の少なくとも一部は前記ギャップ（１４４）の中に受け入れられる、請求項１から３のいずれか一項に記載のトグルスイッチシステム。
【請求項５】
前記トグルスイッチロックアウトクリップ（１００）はさらに、突出して前記トグルスイッチ（２０２）と係合する係合部（１０８）を備える、請求項１から４のいずれか一項に記載のトグルスイッチシステム。
【請求項６】
前記係合部（１０８）は、前記スイッチカバー（２０４）の前記クローズ位置への移動を抑制する、請求項５に記載のトグルスイッチシステム。
【請求項７】
前記トグルスイッチロックアウトクリップ（１００）は、前記スイッチカバー（２０４）の前記クローズ位置への移動を抑制する、請求項１から６のいずれか一項に記載のトグルスイッチシステム。
【請求項８】
前記トグルスイッチロックアウトクリップ（１００）に接続されるタグ（１５０）をさらに備える、請求項１から７のいずれか一項に記載のトグルスイッチシステム。
【請求項９】
前記クリップ本体（１０２）は貫通孔（１１４）を画定し、かつ前記タグ（１５０）は、前記貫通孔（１１４）を通って延伸するテザー（１５２）によって前記トグルスイッチロックアウトクリップ（１００）に接続される、請求項８に記載のトグルスイッチシステム。
【請求項１０】
トグルスイッチ（２０２）及びスイッチカバー（２０４）を含むトグルスイッチアセンブリ（２００）をロックアウトするための方法であって、前記トグルスイッチ（２０２）がオン位置とオフ位置との間で移動可能であり、前記スイッチカバー（２０４）がクローズ位置とオープン位置との間で移動可能であり、前記方法は：
前記スイッチカバー（２０４）を前記オープン位置に移動させ、かつ前記トグルスイッチ（２０２）を前記オフ位置に移動させるステップと；
前記トグルスイッチアセンブリ（２００）にクリップ（１００）を設置するステップであって、前記クリップ（１００）が、前記スイッチカバー（２０４）にラッチするラッチ部（１０４）、及び前記ラッチ部（１０４）から離れるように延伸するレッグ部（１０６）を備え、前記クリップ（１００）が、前記スイッチカバー（２０４）の前記クローズ位置への移動、及び前記トグルスイッチ（２０２）の前記オン位置への移動を抑制する、ステップとを含む、方法。